(57)【要約】    【課題】異なる主題に係る資料を他の主題に係る資料と容易に区別でき、過去のある時点における資料画像の配置を容易に再現できる情報表示装置を提供する。    【解決手段】画像を同時に１以上表示する表示部と、前記表示部に表示されている画像の配置を表す画像毎の配置情報を、表示内容の記憶および再現に係る主題と紐付けて格納する記憶部と、表示部に再現すべき１以上の画像の配置を、前記主題について選択できるように主題別一覧を生成する一覧生成部と、前記主題別一覧を用いたユーザーによる主題の選択を受け付ける操作部と、選択された主題に紐付けられた配置情報に基づいて前記表示部に画像の配置を再現するレイアウト再現部とを備える情報表示装置。【選択図】図９
2018073096.tif 000002
【特許請求の範囲】
【請求項１】
画像を同時に１以上表示する表示部と、
前記表示部に表示されている画像の配置を表す画像毎の配置情報を、表示内容の記憶および再現に係る主題と紐付けて格納する記憶部と、
表示部に再現すべき１以上の画像の配置を、前記主題について選択できるように主題別一覧を生成する一覧生成部と、
前記主題別一覧を用いたユーザーによる主題の選択を受け付ける操作部と、
選択された主題に紐付けられた配置情報に基づいて前記表示部に画像の配置を再現するレイアウト再現部とを備える情報表示装置。
【請求項２】
前記一覧生成部は、一つの主題について過去のある時点の画像の配置をユーザーが選択できるように主題毎に画像の配置の履歴一覧を生成し、
前記レイアウト再現部は、前記操作部が受け付けたどの主題のどの時点の画面を再現するかの選択に基づいて前記表示部に画像の配置および表示内容を再現する請求項１に記載の情報表示装置。
【請求項３】
前記主題は、会議、講義、講演、授業またはプレゼンテーションの論題に係るものである請求項１または２に記載の情報表示装置。
【請求項４】
前記画像の元のデータである資料データをユーザーが選択できるように表示するドロアー管理部をさらに備え、
前記記憶部は、資料データの格納先を示すアドレス情報を１以上の資料データについてまとめて格納し、
前記ドロアー管理部は、まとめて格納された前記アドレス情報の単位でユーザーが資料データを選択できるように前記単位を前記表示部に表示し、その単位の何れかが選択された場合に選択された単位に属する資料データをユーザーがさらに選択できるように前記表示部に表示し、いずれかの資料データが選択された場合にその資料データを資料画像に画像化して前記表示部に表示する請求項１〜３の何れか一つに記載の情報表示装置。
【請求項５】
前記表示部は、複数の表示装置が並んで構成され、
前記操作部は、一覧表示された選択肢のうち複数の選択を受付け、
前記レイアウト再現部は、選択されたそれぞれの選択肢に対応する画面を異なる表示装置に再現する請求項１〜４の何れか一つに記載の情報表示装置。
【請求項６】
ある主題についての音声および資料の文書の少なくとも何れかに基づいてキーワードを抽出するキーワード抽出部をさらに備え、
前記一覧生成部は、抽出されたキーワードが付加された主題別一覧を生成する請求項１に記載の情報表示装置。
【請求項７】
ある主題についての推移に関する推移情報を生成する推移情報生成部をさらに備え、
前記一覧生成部は、生成された推移情報が付加された主題別一覧を生成する請求項１に記載の情報表示装置。
【発明の詳細な説明】
【技術分野】
【０００１】
この発明は、情報表示装置に関し、より詳細には例えば会議、講義、講演、授業やプレゼンテーション等において対象となる主題（例えば、会議の議題、講義のテーマ、講演の演題、授業の科目など）に関連した文書や画像等の資料を表示し管理する情報表示装置に関する。
【背景技術】
【０００２】
近年、会議や講義・プレゼン等の場面において、大画面の表示装置に資料を表示し、さらに、表示画面に対して電子的な書き込みを行うことができるいわゆる電子黒板とよばれる表示装置が普及している。表示装置を電子黒板として利用することで、会議、講義やプレゼンテーション等を円滑にすすめることが可能になってきている。
電子黒板の代表的な用途の例として、会議がある。電子黒板は、議事を書きとめて参加者の認識を共有するために従来から用いられている黒板あるいは白板の機能を発展させたものであって、資料を表示したり、議事録を印刷し保存することもできる。
【０００３】
電子黒板は、いわゆるプレゼンテーションソフト、文書作成ソフト、表計算ソフト、ドローイングソフト、テキストエディタなどのソフトウェアで作成されたさまざまな種類の文書、画像あるいはその組合せ（以下、単に文書という）表示可能である。一般に、それらを表示するには、文書のデータを作成したソフトウェアが必要である。あるいは、文書がＰＤＦ形式などに変換されたものを表示することもできる。さらに、電子黒板は、動画を表示できる。即ち、電子黒板は、一種の情報処理装置といえる。
１つの論題についてさまざまな種類の資料を同時に表示させて議論する状況は数多く存在する。ここで、１回の集まりにおいて複数の論題を扱うことがある。この場合、異なる論題に係る資料が他の論題に係る資料と容易に区別でき、混同が生じないことが望ましい。また、１つの論題についての集まりが日時を隔て複数回に及ぶこともある。この場合、その論題について前回の最後の状態を再現できれば継続が容易である。
【０００４】
これに関し、情報処理装置の表示画面を変更するための操作を記録し、記録された操作に応じて、表示画面のサムネイルを生成し、選択されたサムネイルに対応する画面表示を再現できるようにしたものが提案されている（例えば、特許文献１参照）。
また、特定のユーザーが使用する任意の情報処理装置を想定したものであるが、さまざまな物理空間を移動するオフィス環境において作業状況の連続性を確保する情報処理環境管理装置が提案されている（例えば、特許文献２参照）。特許文献２のものは、ユーザーを認識する手段として例えばタグリーダを用い、ユーザーが作業を終了するときに作業状況を検出して作業状況保持手段に保持する。そして、そのユーザーが移動先の任意の情報処理装置で作業を開始するときに、認識されたユーザーの作業状況を作業状況保持手段から読み出して以前の作業状況を再現する。
【０００５】
さらに、表示装置の構成が異なっても適切に会議を再現することを目的とした情報処理装置が提案されている（例えば、特許文献３参照）。特許文献３のものは、議事情報の入力時に表示装置に表示されている画面を再生用の画像として生成し、再生用の画像と議事情報とを関連付ける処理を行う。そして、議事情報の再生時に、入力時の表示装置と構成情報が異なる場合、入力時とは異なる配置で再生用の画像を表示する。
【先行技術文献】
【特許文献】
【０００６】
【特許文献１】特開２０１３−１６１３０２号公報
【特許文献２】特開２００５−４４１５９号公報
【特許文献３】特開２０１３−１２６１２７号公報
【発明の概要】
【発明が解決しようとする課題】
【０００７】
前述の電子黒板のように主として資料を表示することが想定され、表示画面に対する操作を受付けて表示画面に電子的な書き込みを行う機能を有する情報処理装置をこの明細書で情報表示装置と呼ぶ。
異なる論題に係る資料を他の論題に係る資料と区別する手法の一つは、論題別にその論題に係る資料をまとめて記憶する機能を提供することである。ただし、資料をまとめて記憶するだけでは表示部全体としての資料画像の配置まで再現することができないし、その論題に係るすべての資料がいつも画面に表示されている訳ではない。
【０００８】
また、スクリーンスナップショットのように、ある時点の資料画像の配置を記憶する機能を提供する手法も考えられる。しかし、多数のスクリーンスナップショットを記憶すると、ユーザーは自分が呼び出したいものがどれかを見分けることが容易でなくなる。
この発明は、以上のような事情を考慮してなされたものであって、異なる論題に係る資料を他の論題に係る資料と容易に区別でき、過去のある時点において表示部に表示された資料の資料画像の配置を容易に再現できる情報表示装置を提供するものである。
【課題を解決するための手段】
【０００９】
この発明は、画像を同時に１以上表示する表示部と、前記表示部に表示されている画像の配置を表す画像毎の配置情報を、表示内容の記憶および再現に係る主題と紐付けて格納する記憶部と、表示部に再現すべき１以上の画像の配置を、前記主題について選択できるように主題別一覧を生成する一覧生成部と、前記主題別一覧を用いたユーザーによる主題の選択を受け付ける操作部と、選択された主題に紐付けられた配置情報に基づいて前記表示部に画像の配置を再現するレイアウト再現部とを備える情報表示装置を提供する。
【発明の効果】
【００１０】
この発明による情報表示装置は、表示部に再現すべき１以上の画像の配置を、主題について選択できるように主題別一覧を生成する一覧生成部と、前記主題別一覧を用いたユーザーによる主題の選択を受け付ける操作部と、選択された主題に紐付けられた配置情報に基づいて前記表示部に資料画像の配置を再現するレイアウト再現部とを備えるので、ユーザーは異なる主題に係る資料を他の主題に係る資料と容易に区別でき、ある主題についての過去のある時点における資料画像の配置を容易に再現できる。
【図面の簡単な説明】
【００１１】
【図１】この実施形態に係る情報表示装置の外観を示す正面図である。
【図２】この実施形態に係る情報装置の電気的構成を示すブロック図である。
【図３】図１の情報表示装置の表示部に資料画像が表示された様子を示す説明図である。
【図４】この実施形態において情報表示装置の起動時に制御部が実行する表示処理の示すフローチャートである。
【図５】この実施形態における会議管理画面の例を示す説明図である。
【図６】この実施形態において制御部が実行する表示処理の概要を示すフローチャートである。（実施の形態１）
【図７】この実施形態において主題格納部、ドロアー格納部および配置情報格納部のデータを示す説明図である。
【図８】この実施形態において会議の終了時に制御部が実行する処理を示すフローチャートである。
【図９】この実施形態に係る表示処理のポイントを示す説明図である。
【図１０】この実施形態において制御部が実行する表示処理の概要を示すフローチャートである。（実施の形態３）
【図１１】この実施形態において、会議管理画面の例を示す説明図である。（実施の形態５）
【発明を実施するための形態】
【００１２】
以下、図面を用いてこの発明をさらに詳述する。なお、以下の説明は、すべての点で例示であって、この発明を限定するものと解されるべきではない。
【００１３】
（実施の形態１）
図１は、この実施形態に係る情報表示装置の外観を示す正面図である。
図１に示すように、情報表示装置１１は、正面の大部分を表示部１３が占める。表示部１３は、例えば液晶表示パネルであるがそれに限定されず、有機ＥＬなど他の方式の表示装置であってもよい。ユーザーが電子ペンや指先で表示部１３の表面に触れると、操作部１５（図１に図示せず）としてのタッチセンサがその位置と接触を検出する。表示部１３の下方の中央部には、電子ペン等を置くためのトレイ１８が配置されている。トレイ１８の左右にはスピーカー１７が配置されている。表示部１３の左右両側には、運搬用の取っ手１９が上下に２つずつ配置されている。
【００１４】
≪情報表示装置の構成と画面の構成≫
図２は、この実施形態に係る情報装置の電気的構成を示すブロック図である。鎖線で示すブロックは必須の構成要素でないことを示している。
図２に示すように、情報表示装置１１は、図１に示す表示部１３およびスピーカー１７の他に、図１に図示しない操作部１５としてのタッチセンサ、制御部３５および記憶部２１を有している。タッチセンサは、例えば静電容量式のタッチパネルであってもよいがそれに限らず、赤外線方式など他のタイプのものであってもよい。また、外部機器との通信インターフェイスである通信部１２を備えていてもよい。通信方式は特に限定されない。さらにまた、マイクロフォン１４やカメラ１６を備えていてもよい。
【００１５】
記憶部２１は、制御部３５の中心であるＣＰＵが処理を実行する際にワークエリアを提供するＲＡＭを含み、さらに、フラッシュメモリやハードディスク装置からなる不揮発性の記憶装置で構成される。記憶部２１は、前記ＣＰＵが実行する制御プログラムを格納するほか、配置情報格納部２３、主題格納部２５、ドロアー格納部２７としてデータを格納する記憶領域を有している。
配置情報格納部２３は、表示部１３に表示する資料画像の配置に係る情報を格納する。配置情報は個々の資料画像に対応したものである。配置情報は、その資料画像を用いる主題と紐付けられて管理される。また、資料画像は元になる資料データを特定する情報と紐付けて管理される。
【００１６】
ここで、資料データは、いわゆるプレゼンテーションソフト、文書作成ソフト、表計算ソフト、ドローイングソフト、テキストエディタなどのソフトウェアで作成されたさまざまな種類の文書（画像を含んでもよい）のデータファイルである。その具体的な態様の一例は、テキストエディタで作成されたテキストデータである。また、例えば前述のテキストデータがＰＤＦ形式に変換されたＰＤＦデータである。資料データは、対応するアプリケーションソフトウェアを用いて開くことができる。
【００１７】
一方、資料画像は、前述の資料データが画像に変換された画像データである。元の資料データに紐付けられているが、資料画像自体は画像データであるので、移動、拡大縮小、回転ができる程度である。例えば、ある資料画像に対してページ送り等の要求を受け付けたとすると、制御部３５は、元の資料データを開いて次ページを画像化し、現在表示されている資料画像と置換するといった処理を実行することが必要である。或いは、元の資料データを開く際に全てのページを一度に画像化してもよい。
主題格納部２５は、情報表示装置１１の表示に係る主題を格納する。配置情報格納部２３に格納される配置情報は、主題格納部２５に格納される主題の何れかと紐付けられている。主題格納部は、主題がどの配置情報と対応するかを示すデータを格納する。
【００１８】
ドロアー格納部２７は、１以上の資料データの参照先（アドレス情報）をまとめて格納する。具体的には、資料データを特定する情報を格納するファイルフォルダーを参照するためのファイルパスを格納する。どの資料データをまとめるかはユーザーの選択によるが、例えば一つの主題に関連する資料データがまとめて格納されることが想定される。なお、各資料データの配置情報は格納されない。ドロアーの数は１以上である。この実施形態では３つのドロアーがある。各ドロアーはそれぞれファイルパスを格納する。通常各ドロアーは異なるファイルパスを格納する。ただし、ユーザーが同一のファイルパスを設定した場合は、有用性はともかくその設定に従う。
なお、各ドロアーに対応付けられるファイルパスが主題毎に設定できる態様も考えられるが、それについては別の実施形態として述べる（実施の形態３参照）。この実施形態では、各ドロアーに対応付けられたファイルパスは、選択された主題に関係なく共通のものである。
制御部３５は、ＣＰＵを中心に構成される電子回路である。前記ＣＰＵは記憶部２１に格納された制御プログラムを実行することによって一覧生成部３１、履歴一覧生成部３３、資料画像生成部３７、レイアウト再現部３９およびドロアー管理部４１としての機能を実現する。さらに、前記制御プログラムを実行することによってキーワード抽出部４３や推移情報生成部４５としての機能を実現してもよい。
【００１９】
一覧生成部３１は、ある時点で表示部１３に表示されている資料画像の配置をサムネイル化して主題別のサムネイル一覧を生成する。そのサムネイル一覧は、ユーザーが再現表示する主題を選択する際の参考情報として使用される。
履歴一覧生成部３３は、一覧生成部３１が主題別のサムネイルを生成する際に、同じ主題の異なる時点における資料画像の配置を異なるサムネイルとして生成する。よって、ある論題（主題）について表示部に表示された資料画像の推移（履歴）がサムネイルで閲覧可能になる。
なお、履歴のサムネイルを用いて、ある論題についてどの時点の表示を再現するかをユーザーが選択可能な態様も考えられるが、それについては別の実施形態として述べる（実施の形態２参照）。この実施形態では、選択された論題の直近の資料画像の表示が再現される。
【００２０】
資料画像生成部３７は、資料データの内容に基づいて表示部１３に表示する画像データ（以下、資料画像あるいはシートという）を生成する。
レイアウト再現部３９は、ユーザーが選択した主題について、配置情報格納部２３を参照し、直近の資料画像およびその配置の表示を表示部１３上に再現する処理を行う。
ドロアー管理部４１は、ドロアーに対するユーザーの操作を処理する。例えば、ドロアーを表示部１３に表示してユーザーがドロアーを選択できるようにする。ユーザーがドロアーを選択したら、そのドロアーに登録されている資料データの一覧を表示部１３に表示してユーザーが選択できるようにする。
また、ドロアー管理部４１は、ユーザーがそのうち何れかの資料データの内容を表示する選択をしたら、選択された資料データの資料画像を資料画像生成部３７に生成させて表示部１３に表示されるようにする。さらにまた、ユーザーがドロアーを選択し資料データを追加する操作をしたら、その資料データを選択されたドロアーに追加する。具体的にはドロアーが参照するファイルフォルダーに、その資料データを特定する情報を格納する。
【００２１】
図３は、図１の情報表示装置の表示部１３に資料画像が表示された様子を示す説明図である。図３で、表示部１３の表示は上側のワークエリア５１、下端部の引出しエリア５３、その左隣のホームメニュー５５および右隣の「閉じる」ボタン５６に大別される。ワークエリア５１は資料画像を表示する領域であって上方の大半の領域を占めている。図３において、ワークエリア５１に資料画像５２が表示されている。それぞれ「シート１」、「シート２」、「シート３」と表記された矩形の領域である。なお、シートの形状は矩形で、基本的に縦横方向に配置されるものとしているが、「シート３」のように回転操作ができるものとして扱ってもよい。
【００２２】
引出しエリア５３には、３つのドロアー５４が表示されている。「ドロアー１」、「ドロアー２」、「ドロアー３」と表記された領域である。ユーザーが例えば「ドロアー１」の領域にタッチすると、ドロアーの一覧に代えて「ドロアー１」に格納された資料データのアイコン一覧が引出しエリア５３に表示される。ユーザーが、一覧表示されたアイコンうちの何れかをタッチしてワークエリア５１にドラッグアンドドロップするとドロップされた位置にそのアイコンに対応する資料画像が表示される。
なお、初期は各ドロアーにどのファイルフォルダーも登録されていない。ユーザーがファイルフォルダーをドロアーに登録すると、選択されたドロアーに資料データが対応付けられる。
引出しエリア５３の左隣にはホームメニュー５５がある。ユーザーがホームメニュー５５をタッチすると予め定められたホームメニューが表示される。
引出しエリア５３の右隣には「閉じる」ボタン５６がある。ユーザーが「閉じる」ボタンにタッチすると、制御部３５は、その時点でワークエリア５１に表示されている資料画像の配置を配置情報格納部２３に格納し、情報表示装置１１の表示処理を実行するアプリケーションソフトを終了してオペレーティングシステムに戻る。
【００２３】
図２の説明に戻る。
キーワード抽出部４３は、ある主題についての音声および資料の文書の少なくとも何れかからキーワードを抽出する。例えば、主題が会議であるとき、マイクロフォン１４によって記録された会議の音声に音声認識処理を適用して頻出する語をキーワードとして抽出する。それに加え、あるいはそれに代えて、その会議の資料データの中から頻出する語やタイトルに用いられた語をキーワードとして抽出する（実施の形態５参照）。
推移情報生成部４５は、主題についての推移に関する推移情報を生成する。例えば、主題が会議であるとき、マイクロフォン１４によって記録された会議の音声の大きさの程度を推移情報とする。一般に会議が盛り上がると音声が大きくなる傾向があるので、会議の重要なポイントを見出す手がかりを得ることができる（実施の形態５参照）。
【００２４】
≪情報表示装置の起動時の表示処理≫
図４は、この実施形態において情報表示装置１１の起動時に制御部３５が実行する表示処理の例を示すフローチャートである。なお、以降、図４〜図１１において、主題は会議であるとして説明を述べている。ただし、この発明に係る主題は会議に限定されるものではない。
図４に示すように制御部３５は、起動時に初期画面設定を確認するダイアログボックスを表示部１３に表示させる（ステップＳ１１）。そのダイアログボックスには、３つの選択肢の何れかをユーザーが設定する欄が設けられている。起動時に会議管理のダイアログボックス（会議管理画面）を表示させるか、前回終了時の状態をワークエリアに表示させるかあるいはワークエリアが空の状態で開始するかの選択肢である。なお、何れかの設定がなされたら制御部３５は、記憶部２１にその設定を記憶させてもよい。そして、初期画面設定を確認するダイアログボックスを次回起動時にも表示するか、表示を省略して記憶された設定に基づく画面を表示するかを設定できるようにしてもよい。その設定は、ホームメニューの「設定」を選択していつでも変更可能である。
【００２５】
前記ダイアログボックスを用いて会議管理画面から開始するように設定がなされたら（ステップＳ１２）、あるいは会議管理画面が起動時の既定の表示に設定されたら、制御部３５は、次の処理を行う。即ち、一覧生成部３１および履歴一覧生成部３３として制御部３５は、会議管理画面を表示部１３に表示させる（ステップＳ１３）。
図５は、この実施形態における会議管理画面の例を示す説明図である。図５に示すように、会議管理画面は、主題としての会議名を示す項目、会議が行われた直近の日時、その会議でワークエリア５１に表示されたシートの配置を示す複数のサムネイルを会議毎に表示する画面である。この実施形態において、各会議のサムネイルは予め定められた数（例えば、図５の例では４つ）が表示される。また、会議管理画面に表示される既存の会議には、固有のＩＤ（主題が会議でない場合もあるので主題ＩＤが適当かもしれないが、この実施形態では会議ＩＤとする）がそれぞれ対応付けられている。複数のサムネイルは、前回の会議終了時、即ち直近の時点のシートの配置を含み、過去に遡った幾つかの時点のレイアウト、即ちワークエリア５１に表示されたシートの配置を示している。この態様によればサムネイルにより会議の推移を一覧できるので、ユーザーは呼び出したいと考えている会議を容易に見出すことができる。なお、既存の会議が選択されて「会議を開く」ボタン７７で呼び出されるのは、選択された会議の直近のレイアウトである。
会議管理画面には種々の操作ボタンが配置されている。
「会議の持込」ボタン７１は、このボタンの操作によって、外部の情報表示装置や情報処理装置に格納された会議の内容および画面レイアウトを、情報表示装置１１にインポートするものである。インポートされた会議の内容は、記憶部２１に格納され、情報表示装置１１で記録された会議と同等に扱われる。
【００２６】
「会議の持出」ボタン７２は、このボタンの操作によって、情報表示装置１１に格納された会議の内容および画面レイアウトを、外部の情報表示装置や情報処理装置にエクスポートするものである。エクスポートされる内容は、選択されている会議ＩＤについて、配置情報格納部２３に格納された配置情報、主題格納部２５に格納されたデータおよびドロアー格納部２７に格納されたドロアーの構成、資料画像の元になった資料データである。
「新規会議の追加」ボタン７３は、このボタンの操作によって、新規の会議を追加して管理の対象とするものである。新規会議を追加した場合、制御部は、空のワークエリアを表示部１３に表示する。
【００２７】
「会議を保存」ボタン７４は、このボタンの操作によって、現在開催している会議の情報を更新して保存するものである。制御部３５は、その時点の画面レイアウトを直近の画面レイアウトとして保存する。
「会議の詳細設定」ボタン７５は、このボタンの操作によって、会議の属性に係る詳細設定を行うものである。
「レイアウトを追加」ボタン７６は、このボタンの操作によって、すべての会議のレイアウト管理画面を表示し、そのレイアウト管理画面を用いてユーザーが選択した画面レイアウトを現在選択されている会議に追加するものである。
「会議を開く」ボタン７７は、このボタンの操作によって、現在選択されている会議を再現表示するものである。
【００２８】
「会議を削除」ボタン７８は、現在選択されている会議を会議管理画面から削除するものである。主題格納部２５、配置情報格納部２３に格納されているデータもそれに伴って削除される。ドロアー構成が会議毎に格納されている場合は、ドロアー格納部２７の該当するデータも削除される。
「閉じる」ボタン７９は、このボタンの操作によって、会議管理画面が閉じて元の画面に戻るものである。
【００２９】
図４の説明に戻る。
会議管理画面において、ユーザーは既に記憶されている会議を選択できるだけでなく、新たな会議を選択することもできる（ステップＳ１５）。
ユーザーが新たな会議を選択した場合（ステップＳ１５のＹｅｓ）、それに応答して制御部３５は新規会議作成のダイアログボックスを表示部に表示させる（ステップＳ１６）。新規会議作成のダイアログボックスで、ユーザーは会議名の設定等ができる。
新規会議作成のダイアログボックスで設定が入力され、会議を開く指示がなされたら（ステップＳ２０のＹｅｓ）、制御部３５は、会議名を主題格納部２５に格納し、新規会議画面用に空のワークエリアを表示部１３に表示させる（ステップＳ２３）。さらに、ドロアー管理部４１として制御部３５は、ドロアー格納部２７を参照して引出しエリア５３にドロアーを表示させ（ステップＳ２５）、起動時の表示処理を終了する。
【００３０】
一方、会議管理画面でサムネイル表示された既存の会議の何れかが選択されたら（ステップＳ３０のＹｅｓ）、レイアウト再現部３９としての制御部３５は、次の処理を行う。即ち、配置情報格納部２３を参照して選択された会議に係る直近のレイアウトをワークエリア５１に再現表示する（ステップＳ３５）。さらに、ドロアー管理部４１として制御部３５は、ドロアー格納部２７を参照して引出しエリア５３にドロアーを表示させる（ステップＳ３７）。そして、起動時の表示処理を終了する。
初期画面設定のダイアログボックスで前回終了時の状態をワークエリア５１に表示させる選択がなされた場合（ステップＳ１２のＮｏを経てＳ６１）、レイアウト再現部３９として制御部３５は次の処理を行う。即ち、配置情報格納部２３を参照して前回表示した会議の終了時のレイアウトをワークエリア５１に再現表示する（ステップＳ６３）。さらに、ドロアー管理部４１として制御部３５は、ドロアー格納部２７を参照して引出しエリア５３にドロアーを表示させる（ステップＳ６４）。そして、起動時の表示処理を終了する。
【００３１】
また、初期画面設定のダイアログボックスで、空のワークエリアで開始する選択がなされた場合（ステップ６１のＮｏを経てＳ６５）、制御部３５は空のワークエリアを表示部１３に表示する（ステップＳ６７）。さらに、ドロアー管理部４１として制御部３５は、ドロアー格納部２７を参照して引出しエリア５３にドロアーを表示させる（ステップＳ６８）。そして、起動時の表示処理を終了する。
【００３２】
初期画面設定のダイアログボックスで上述の３つの選択肢の何れも選択されずに、ホームメニュー５５がタッチされた場合（ステップＳ６５のＮｏを経てＳ６９）、制御部３５はホームメニューのダイアログボックスを表示させる。ホームメニューダイアログボックスには「会議管理」の項目が含まれる。「会議管理」が選択された場合（ステップＳ７１）、制御部３５は会議管理画面を表示部１３に表示させる（ステップＳ７３）。前述のステップＳ１３と同様のダイアログボックスである。ホームメニューダイアログボックスの他の項目として「ワークエリアをクリア」、「レイアウト管理」や「設定」があるが、ここではそれらの項目が選択された場合の処理についての説明を省略する。制御部は、それらのうち何れかの項目が選択されたら、ホームメニューのダイアログボックスを閉じて選択された項目の処理を行う。その後にルーチンはステップＳ１３へ戻る。
【００３３】
ホームメニューをタッチすることによって、ユーザーは起動時に限らずいつでも会議管理画面にアクセスできる。会議管理画面は、起動時においては既存の会議を呼び出すために使用される。一方、起動後は、ワークエリア５１に表示されている会議のレイアウトを保存するために使用される。
起動時に、ホームメニュー経由で呼び出された会議管理画面で、サムネイル表示された既存の会議の何れかが選択されたら（ステップＳ７５のＹｅｓ）、ルーチンはステップＳ３５へ進む。レイアウト再現部３９としての制御部３５は、配置情報格納部２３を参照して選択された会議に係る直近のレイアウトをワークエリア５１に再現表示する。さらに、ドロアー管理部４１として制御部３５は、ドロアー格納部２７を参照して引出しエリア５３にドロアーを表示させる（ステップＳ３７）。そして、起動時の表示処理を終了する。
起動時にホームメニュー経由で呼び出された会議管理画面で、新規会議が選択された場合（ステップＳ７５のＮｏを経てステップＳ７７）、ルーチンはステップＳ１６へ進み（ステップＳ７７のＹｅｓ）新規会議作成のダイアログボックスを表示する。一方、いずれも選択されなかった場合、ルーチンはステップＳ７１へ戻りホームメニューの項目選択を待つ。
以上が、起動時の画面処理である。
【００３４】
≪情報表示装置の表示処理≫
続いて、情報表示装置の表示処理に関して制御部３５が実行する概要について述べる。図４で述べた起動時の処理を含む、全体の処理である。
【００３５】
図６は、この実施形態において制御部３５が実行する表示処理の概要を示すフローチャートである。なお、図４に対応または関連する処理がある場合は図４と同様の符号を付している。
図６に示すように、制御部３５は、起動後に、情報表示装置１１の画面表示を制御するアプリケーションソフトウェアを起動する（ステップＳ１１）。その処理には、図４のステップＳ１１の処理が含まれる。なお、図６では起動時の初期画面として会議管理画面を表示する設定がなされているものとしている。よって、制御部３５は、会議管理画面を表示部１３に表示する（ステップＳ１３）。
【００３６】
会議管理画面で新規の会議を作成する選択がなされたら（ステップＳ１５のＮｏ）、制御部３５は、新規会議作成画面を表示部１３に表示させて会議の名称の入力を受け付ける（ステップＳ１７）。会議名が入力されたら、会議毎のデータ管理に使用するＩＤ（会議ＩＤ）を新たに発行する（ステップＳ１９）。新たに発行された会議ＩＤを会議名と紐付けて主題格納部２５に格納する（ステップＳ２１）。そして、空のワークエリアを表示部１３に表示させる（ステップＳ２３）。
さらに、制御部３５は、ドロアー格納部２７を参照して引出しエリア５３にドロアーを表示する（ステップＳ２５）。
【００３７】
図７は、この実施形態において主題格納部２５、ドロアー格納部２７および配置情報格納部２３に格納されるデータの一例を示す説明図である。
図７に示す主題格納部２５の例では、３つの会議が格納されている。それらの会議名は、「経営会議」、「開発日程会」、「特許確認会」である。それぞれの会議に固有のＩＤMTG0001、MTG0002、MTG0003が割り当てられている。さらに、それぞれの会議について、会議に紐づけられた配置情報のＩＤ（配置ＩＤ）が登録されている。新たな会議が登録された時点においては、最新（直近）の配置情報のみであるが、過去に開催された会議については、保存処理を行った時点の配置情報が履歴として登録されている。さらに、会議の推移に伴って、所定の条件が充足された場合に配置情報を追加してもよい。ここで、所定の条件としては、例えば新たな資料画像が開かれた場合、資料画像が閉じられた場合、所定期間が経過した時点で以前とレイアウトが変化している場合などが考えられる。
【００３８】
図６の説明に戻る。
一方、会議管理画面で既存の会議、即ち、既に主題格納部２５に登録されている会議の何れかが選択されたら（ステップＳ１５のＹｅｓ）、制御部３５は選択された会議の会議ＩＤを取得する（ステップＳ３１）。そして、配置情報格納部２３を参照し、取得された会議ＩＤに関連付けられた配置情報を配置情報格納部２３から読み出す（ステップＳ３３）。そして、読み出した配置情報に基づいたシートの位置、大きさ（回転操作ができる場合は傾き角度を含む）で、ワークエリア５１にシートを再現表示する（ステップＳ３５）。
【００３９】
図７に配置情報格納部が格納するデータの例を示している。配置情報は、それが記憶された時点毎に固有のＩＤ（配置ＩＤ）を有している。その時点でワークエリア５１に表示されていたシートは共通の配置ＩＤを有する。さらに、配置情報が格納された日時を含む。そして、シート毎にシートの位置、大きさ、傾きの少なくとも何れかを示すパラメータを含んでいる。さらに、シートの元になる資料データを特定するパラメータを含む。図７に示す例は、シートの位置と大きさを表す対角座標を格納する。図７に示す例においては、説明を単純にするためシートはすべて矩形で、回転操作には対応しないものとしている。よって、各シートの位置と大きさを表す対角座標と、元の資料データを表すファイル名を配置情報としている。異形のシートや回転操作に対応する場合は、それに伴ってより複雑な配置情報を格納する。
さらに、制御部３５は、ドロアー格納部２７を参照して引出しエリア５３にドロアーを表示する（ステップＳ３７）。
以上で述べた図６の各処理は起動時の表示処理を示す。起動時の表示処理が終了したら、制御部３５は、ワークエリア５１に表示されたシート、引出しエリア５３に表示されたドロアー、ホームメニューや「閉じる」ボタンに対する操作を受付ける。
【００４０】
例えばユーザーが、ドロアーを操作して新たな資料データを選択し、その資料データのアイコンをワークエリア５１にドラッグアンドドロップする操作をしたら、制御部３５はその操作に応答して以下の処理を行う。資料画像生成部３７としての制御部３５は、ドロアー格納部２７選択された資料データのアドレスを取得して資料データを開く。そして、開かれた資料データを画像化し、画像化されたシートをワークエリア５１に表示する（ステップＳ４１）。
なお、図７はドロアー格納部２７に格納されるデータの例を示している。図７に示す例では３つのドロアーがあり、それぞれの名称は「ドロアー１」、「ドロアー２」、「ドロアー３」である。この実施形態では、各ドロアーに対応付けられたファイルパスは、選択された主題に関係なく共通のものとしている。ドロアー格納部２７は、それぞれのドロアーについて、ファイルが格納されているファイルフォルダーへのパスを格納する。
異なる態様として、ドロアー格納部２７が会議（主題）に応じたドロアーの構成を有してもよい。詳細は別の実施形態で述べるが（実施の形態３参照）、図７で鎖線の枠で示す部分は、それぞれの会議に対応して、各ドロアーに異なる資料データの参照先が格納される場合の構成を示している。
【００４１】
図６の説明に戻る。
ユーザーがワークエリア５１に表示されたシートを選択し、例えばドラッグして移動させる操作、ズームして拡大縮小する操作、回転して傾きを変える操作を行った場合、制御部３５は、次の処理を行う。即ち、その操作に対応してワークエリア５１に表示されたシートを移動、拡大縮小、回転させる（ステップＳ４３）。
また、シートを選択せずにユーザーがワークエリア５１に表示されたシートの領域を指先や電子ペンのペン先で触れたままその位置を移動させたら、制御部３５は、その位置に対応する手書きストロークをワークエリア５１に描画する（ステップＳ４５）。なお、資料画像と手書きストロークとは異なるレイヤーの画像として管理される。
ユーザーは、空白のシートをワークエリア５１に表示し、そのシートの領域に手書きストロークを描画することもできる。このような操作によって、手書きメモの代わりにシートを用いることができる。
【００４２】
会議中、ユーザーはこれらの機能を用いてワークエリア５１にシートを表示させたり、シートの配置を変更したり、シートに手書きストロークを描画したりできる。
さらに、ユーザーはホームメニューにタッチしてホームメニューを実行することもできる。ホームメニューは、複数のメニューを含み、その中に「会議管理」を含む。起動後に「会議管理」が選択された場合、制御部３５は、ワークエリア５１に表示されている会議のレイアウトを配置情報格納部２３に格納する。会議を終了する場合に、ユーザーは、ホームメニューから「会議管理」を選択してレイアウトを記憶させることができる。
さらに、ユーザーがドロアーの構成を編集する操作、例えばドロアーに資料データを追加する操作、資料データをドロアーから削除する操作を行ったら、その操作に応じてドロアー格納部２７にアクセスして構成を変更する（ステップＳ４７）。この実施形態ではどの会議にも共通のドロアー構成である。
【００４３】
ホームメニューで「会議管理」が選択されたら（ステップＳ５１）、制御部３５は、次の処理を行う。その時点のレイアウト、即ち、ワークエリア５１に表示されているシートの配置（位置、大きさ、回転操作ができる場合は傾き）を、格納した日時と共に配置情報格納部２３に格納する。そして、その時点の配置情報を異なる時点の配置情報と区別するために新たな配置ＩＤを付与する。さらに、その配置ＩＤを、対応するレイアウトで表示を行った会議と紐付けて、主題格納部２５に格納する。具体的には、配置ＩＤを会議ＩＤと紐付けて主題格納部２５に格納する（ステップＳ５３）。
以上が、表示処理の概要である。
【００４４】
≪終了、保存時の表示処理≫
図８は、この実施形態において会議の終了時に制御部３５が実行する処理の例を示すフローチャートである。図６において、ステップＳ５３の処理に相当する部分を含む。図８に沿って、表示の終了時における処理を述べる。
図８に示すように、会議の終了時にユーザーがホームメニューにタッチすると（ステップＳ１０１）、制御部３５は、ホームメニューを表示部１３に表示する（ステップＳ１０３）。
【００４５】
ホームメニューの項目のうち「会議管理」が選択されたら（ステップＳ１０５のＹｅｓ）、制御部３５は、会議管理画面を表示部１３に表示する（ステップＳ１０７）。ユーザーが、会議管理画面に表示された既存の会議の何れかを選択したら（ステップＳ１０９）、制御部３５は、選択された会議についての次の操作を待つ。
図５に示すように会議管理画面には、「会議を保存」ボタン７４がある。ユーザーがそれを選択した場合（ステップＳ１１１）、制御部３５は、ワークエリア５１に表示されているシートの配置を最新の配置情報として、配置情報格納部２３のうち選択された会議に対応する領域に保存して（ステップＳ１１３）処理を終了する。
【００４６】
さらに、会議管理画面には、「レイアウトを追加」ボタン７６がある。既存の会議が選択された状態でユーザーがそのボタンをタッチした場合（ステップＳ１１１のＮｏを経てＳ１１５）、制御部３５は、現在選択されている会議のレイアウトの履歴一覧を提供するレイアウト管理画面を表示部１３に表示する（ステップＳ１１７）。レイアウト管理画面に表示されたレイアウトのうち、何れかのレイアウトが選択されたら（ステップＳ１１９のＹｅｓ）、制御部３５は次の処理を行う。即ち、選択された配置ＩＤを有する配置情報を配置情報格納部２３から削除し、代わって現在のレイアウトに係る配置情報を追加する（ステップＳ１２１）。言い換えれば、選択された配置情報を現時点の配置情報に置換する。そして、処理を終了する。
【００４７】
レイアウト管理画面には、現在選択されている会議でなく、別の会議のレイアウトの履歴を表示する選択肢がある。その選択肢が選択された場合（ステップＳ１１９のＮｏを経てＳ１２３）、制御部３５は、会議管理画面を表示部１３に表示して（ステップＳ１２５）、別の会議の選択を受け付ける（ステップＳ１２７）。何れかの会議が選択されたら、その会議に係るレイアウト管理画面を表示する。その会議の何れかのレイアウトが選択されたら、制御部３５は、選択された会議の選択された配置ＩＤに係る配置情報を現在のレイアウトに係る配置情報で更新する（ステップＳ１２９）。そして、処理を終了する。
また、会議管理画面で、既存の会議が選択されていない状態で「レイアウトを追加」ボタン７６がタッチされたら（ステップＳ１０９のＮｏを経てＳ１３１）、制御部３５は、すべての会議のレイアウト管理画面を表示部１３に表示する（ステップＳ１３３）。そして、何れかの会議の何れかのレイアウトが選択されるのを待つ（ステップＳ１３５）。選択がなされたら（ステップＳ１３５のＹｅｓ）、制御部３５は、選択された画面構成を現在選択されている会議に追加して（ステップＳ１３７）処理を終了する。
【００４８】
また、表示部１３には、引出し「閉じる」ボタン５６が表示されている。「閉じる」ボタン５６は、引出しエリア５３の右隣に表示される。「閉じる」ボタン５６がタッチされたら（ステップＳ１０１のＮｏを経てＳ１４１）、制御部は会議終了のダイアログボックスを表示部１３に表示する。会議終了のダイアログボックスは、「現在の会議を保存して終了します。」のメッセージと「ＯＫ」、「キャンセル」の選択肢で構成される。「ＯＫ」が選択されたら、ルーチンはステップＳ１２１へ進み、現在の会議について直近のレイアウトを配置情報格納部に追加して処理を終了する。
以上が、終了時の処理である。
【００４９】
≪主題による管理のまとめ≫
図９は、この実施形態に係る表示処理のポイントを示す説明図である。図９に「会議管理ダイアログボックス」で示すように、ユーザーは会議管理画面を用いて、会議を選択できる。図９に「配置情報格納部」で示すように、選択された会議には、配置情報格納部の配置情報が関連付けられている。直近のレイアウトだけでなく、過去のレイアウトも格納されている。会議とレイアウトとの関連付けは、主題格納部に各会議ＩＤに対応する配置ＩＤを格納することで実現される。
【００５０】
ユーザーが会議管理画面で会議を選択すると、その会議に関連付けられた直近のレイアウトに基づいて、ワークエリア５１に１以上のシートが再現表示される。
会議が終了したら、終了時のレイアウトが最新のレイアウトとして格納される。あるいは、図８の終了時の表示処理で述べたように、過去の履歴と置換したり、別の会議にレイアウトを保存したり、別の会議のレイアウトをコピーして追加したりできる。
【００５１】
（実施の形態２）
実施の形態１では、会議管理画面にそれぞれの会議について表示された資料画像の推移が一覧できるようにサムネイルが表示されるが、それらのサムネイルは会議を選択するための単なる参考情報である。
それに対してこの実施形態は、資料画像の推移を示すサムネイルを用いて、どの時点のレイアウトを再現表示するかをユーザーが選択可能である。
【００５２】
図７に示すように、配置情報格納部２３は、それぞれの会議について直近の時点の配置情報だけでなく、過去の時点の配置情報を格納している。
この実施形態で、制御部３５は、会議管理画面の履歴のサムネイルのうちどのサムネイルがタッチされたかを認識し、そのサムネイルに対応する配置ＩＤを取得する。そして、配置情報格納部２３に格納された配置情報の中から、その配置ＩＤを有する配置情報を参照してワークエリア５１にシートを再現表示する。
ユーザーは、会議管理画面のサムネイルの何れにタッチするかを選択する。それによって、どの会議のどの時点のサムネイルを再現表示させるかを指示できる。直近の画面配置を再現表示したければ、直近の時点のサムネイルをタッチすればよいし、過去の画面配置を再現表示したければ、過去の時点のサムネイルをタッチすればよい。
【００５３】
（実施の形態３）
実施の形態１では、ドロアーの構成は選択された主題に関係なく共通のものである。それに対してこの実施形態は、選択された主題毎に、画面レイアウトだけでなくドロアーの構成も再現表示する。
そのために、この実施形態においては図７の鎖線の枠部分を含むようにドロアー格納部２７が構成されており、それぞれの会議に対応してドロアーの名称とパスを格納する。
図１０は、この実施形態において制御部が実行する表示処理の概要を示すフローチャートであり、図６に対応している。よって、実施の形態１に係る図６と異なる処理についてのみ説明する。
【００５４】
図１０で、起動後、会議管理画面で新規会議が選択された場合（ステップＳ１５のＮｏ）、制御部３５は次の処理を行う。空白のワークエリアを表示した後に新規のドロアー構成、即ち、どのファイルフォルダーにも対応付けられていないドロアーを引出しエリア５３に表示する（ステップＳ２５）。
一方、既存の会議が選択された場合（ステップＳ１５のＹｅｓ）、制御部３５は次の処理を行う。即ち、選択された会議の画面レイアウトをワークエリア５１に再現表示した後、ドロアー格納部２７を参照してその会議ＩＤに対応するドロアー構成を引出しエリア５３に再現表示する（ステップＳ３７）。
【００５５】
また、起動後、ユーザーがドロアーの構成を編集する操作、例えばドロアーに資料データを追加する操作、資料データをドロアーから削除する操作を行ったら、その操作に応じて制御部３５は、次の処理を行う。ドロアー格納部２７にアクセスして、選択されている会議ＩＤに対応するドロアー構成を変更する（ステップＳ４７）。この実施形態ではどの会議毎のドロアー構成である。
なお、ドロアー構成の変更操作が行われる毎にドロアー格納部２７の対応する会議ＩＤを更新するので、会議終了時にドロアー構成を更新する必要はない。
【００５６】
（実施の形態４）
実施の形態１では、表示部１３が１つの表示装置であるが、複数の表示装置を並べて１つの表示部１３を構成する場合がある。いわゆるマルチディスプレイと呼ばれる対応である。複数の表示装置を隙間なく並べて疑似的に１つの大きな画面を構成する場合もあるが、物理的に離れた場所に複数の表示装置があってもそれらが隣り合っているかのように表示を行う態様もある。いずれの場合もこの実施形態のマルチディスプレイに含まれる。
【００５７】
実施の形態１〜３で、ユーザーは会議管理画面で１つの会議あるいは１つのサムネイル（ある時点の画面レイアウト）だけを選択できるものとしている。それに対してこの実施形態は、ユーザーが複数の会議あるいは複数のサムネイルを選択できる。
選択可能な会議あるいはサムネイルの上限は、マルチディスプレイを構成する表示装置の数を超えない。
制御部３５は、選択された複数の画面レイアウトのそれぞれを異なる表示装置に１画面で表示する。即ち、選択された１つの画面レイアウトについて、複数の表示装置に分割表示せずに１つの表示装置に表示する。
【００５８】
（実施の形態５）
実施の形態１〜４では、会議管理画面でユーザーが会議を選択する際の参考として、サムネイル化された画面レイアウトの履歴を表示した。この実施形態では、履歴のレイアウトに代えて、あるいはそれに加えて表示する参考情報をいくつか挙げる。
図１１は、この実施形態において、会議管理画面の例を示す説明図である。会議は、遠隔の３拠点を通信で結んだテレビ会議である。図１１に示すように、会議管理画面には、会議名称が「IoSP定例」、「TD Gr.定例」、「SSDI定例」の３つの会議が表示され、さらに右端のスクロールバーを用いて下方へスクロールすると図１１では隠れている他の会議が表示される。
【００５９】
最も上に表示されている「IoSP定例」を例に会議の参考情報を説明する。符号６１を付した左端の欄は、会議の名称「IoSP定例」と、その会議の直近の開催日時「2016/06/14」、会議に要した時間「1h53m」（１時間５３分）が表示されている。
符号６３を付した右隣の欄には、会議の参加者の人数を拠点別に示しており、そのうち、拠点別の発言数の割合と、発言数の多い上位３名の氏名と、各人の発言の会議全体に占める割合が表示されている。この参考情報は、参加者各人が異なるマイクロフォンを使用し、各マイクロフォンの音声記録を分析することによって導き出される。
符号６５を付したさらに右隣の欄は、会議で使用された代表的な画像や資料のサムネイルを表示している。図１１では複数のサムネイルを表示しているが、表示方法の別の例として、１つの表示領域に複数のサムネイルをスライドショーのように連続的に切り替えて表示してもよい。
符号６７を付したさらに右隣の欄は、会議の発言の中や資料データで多用されたキーワードを抽出して表示している。発言の中からキーワードを抽出する処理は、例えば音声認識技術を用いて実現できる。
【００６０】
符号６９を付した右端の欄は、会議の推移に伴って盛り上がり度を示すグラフである。縦軸が盛上がり度で、横軸は時間である。グラフの横軸の下方には、抽出されたキーワードが用いられた時間が時間軸に整合するように表示されている。また、会議中に新たな資料画像が表示されたタイミングを資料画像のアイコンで示している。
盛上がり度を示す曲線は、記録された音声の音量に基づくものである。即ち、推移情報生成部４５として制御部３５は、発言の音量が大きいときに会議が盛り上がっていると判断して盛り上がり度を示すグラフを生成する。
会議中に新たな資料画像が表示されると、画面レイアウトが変化する。よって、盛上がり度のグラフに重畳された資料画像のアイコンとアイコンの区間をユーザーがタッチして選択できるようにしてもよい。制御部３５は、タッチされた区間に対応する画面レイアウトを符号６５の欄に表示してもよい。
図１１に示すように、画面配置の推移だけでなく、キーワードや盛上り度を表示することによって、ユーザーは会議の内容や会議の推移を容易に思い出し、適切な会議を選択することができる。
【００６１】
以上に述べたように、
（i）この発明による情報表示装置は、画像を同時に１以上表示する表示部と、前記表示部に表示されている画像の配置を表す画像毎の配置情報を、表示内容の記憶および再現に係る主題と紐付けて格納する記憶部と、表示部に再現すべき１以上の画像の配置を、前記主題について選択できるように主題別一覧を生成する一覧生成部と、前記主題別一覧を用いたユーザーによる主題の選択を受け付ける操作部と、選択された主題に紐付けられた配置情報に基づいて前記表示部に画像の配置を再現するレイアウト再現部とを備えることを特徴とする。
【００６２】
この発明において、資料データは、いわゆるプレゼンテーションソフト、文書作成ソフト、表計算ソフト、ドローイングソフト、テキストエディタなどのソフトウェアで作成されたさまざまな種類の文書（画像を含んでもよい）のデータファイルである。その具体的な態様の一例は、テキストエディタで作成されたテキストデータである。また、例えば前述のテキストデータがＰＤＦ形式に変換されたＰＤＦデータである。資料データは、対応するアプリケーションソフトウェアを用いて開くことができる。
【００６３】
一方、資料画像（シートともいう）は、前述の資料データが画像に変換された画像データである。元の資料データに紐付けられているものの単なる画像データであるので、資料画像自体は表示の移動、拡大縮小、回転ができる程度である。例えば、ページ送り等の要求に対応するには元の資料データを開いて次ページを画像化し、それを表示部に表示されている現在の資料画像と置換する処理が必要である。
【００６４】
また、配置情報は、表示部に資料画像の表示を再現するための幾何学的属性である。例えば、資料画像の位置、大きさ、傾きである。ここで、常に同一の表示部に表示を再現することだけを考えるのであれば、それぞれの資料画像について単に絶対的な位置、大きさおよび傾きを記憶すれば足りる。しかし、異なる大きさや異なる縦横比の表示部に表示を再現することを考慮すると、例えば、表示部の縦および横に対する資料画像の縦および横の比を属性とするといったような工夫がなされたものを配置情報としてもよい。
【００６５】
記憶部は、少なくとも一部がフラッシュメモリやハードディスク装置等の不揮発性の記憶装置であって、過去のある時点において表示部に表示された資料画像の配置を記憶できる。
また、サムネイルは画像や文字を縮小したものである。
なお、表示を行う部分と情報処理を行う部分は通信等で接続された機能的に一体であればよく、物理的に必ずしも一体である必要はない。
さらに、この発明の好ましい態様について説明する。
【００６６】
（ii）前記一覧生成部は、一つの主題について過去のある時点の画像の配置をユーザーが選択できるように主題毎に画像の配置の履歴一覧を生成し、前記レイアウト再現部は、前記操作部が受け付けたどの主題のどの時点の画面を再現するかの選択に基づいて前記表示部に画像の配置および表示内容を再現してもよい。
このようにすれば、ユーザーは異なる主題に係る画像を他の主題に係る画像と容易に区別でき、どの主題のどの時点の画面を再現するかを選択して対応する画像の配置および表示内容を表示部上に容易に再現できる。
【００６７】
（iii）前記主題は、会議、講義、講演、授業またはプレゼンテーションの論題に係るものであってもよい。あるいは、それらに類するものであってもよい。
【００６８】
（iv）前記画像の元のデータである資料データをユーザーが選択できるように表示するドロアー管理部をさらに備え、前記記憶部は、資料データの格納先を示すアドレス情報を１以上の資料データについてまとめて格納し、前記ドロアー管理部は、まとめて格納された前記アドレス情報の単位でユーザーが資料データを選択できるように前記単位を前記表示部に表示し、その単位の何れかが選択された場合に選択された単位に属する資料データをユーザーがさらに選択できるように前記表示部に表示し、いずれかの資料データが選択された場合にその資料データを資料画像に画像化して前記表示部に表示してもよい。
このようにすれば、ユーザーはある主題についての過去のある時点における資料画像の配置を容易に再現できるだけでなく、例えばある主題を単位として、まとめて格納された資料データの中から何れかを選択して対応する資料画像を表示部に表示させることができる。
【００６９】
（v）前記表示部は、複数の表示装置が並んで構成され、前記操作部は、一覧表示された選択肢のうち複数の選択を受付け、前記レイアウト再現部は、選択されたそれぞれの選択肢に対応する画面を異なる表示装置に再現してもよい。
このようにすれば、複数の表示装置が並んで構成されるいわゆるマルチディスプレイの構成において、それぞれのディスプレイに異なる選択肢に対応する画面を再現表示させることができる。ここで、異なる選択肢は、例えば異なる主題の画面であってもよいし、例えば同じ主題の異なる時点の画面であってもよい。
【００７０】
（vi）ある主題についての音声および資料の文書の少なくとも何れかに基づいてキーワードを抽出するキーワード抽出部をさらに備え、前記一覧生成部は、抽出されたキーワードが付加された主題別一覧を生成してもよい。
このようにすれば、主題別一覧を用いた主題の選択に際し、ユーザーは主題別一覧に付加されたキーワードを参考にして適切な主題を容易に見出すことができる。
【００７１】
（vii）ある主題についての推移に関する推移情報を生成する推移情報生成部をさらに備え、前記一覧生成部は、生成された推移情報が付加された主題別一覧を生成してもよい。
このようにすれば、主題別一覧を用いた主題の選択に際し、ユーザーは主題別一覧に付加された推移情報を参考にして適切な主題を容易に見出すことができる。
この発明の好ましい態様には、上述した複数の態様のうちの何れかを組み合わせたものも含まれる。
【００７２】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００７３】
１１：情報表示装置、    １２：通信部、    １３：表示部、    １４：マイクロフォン、    １５：操作部、    １６：カメラ、    １７：スピーカー、    １８：トレイ、    １９：取っ手
２１：記憶部、    ２３：配置情報格納部、    ２５：主題格納部、    ２７：ドロアー格納部
３１：一覧生成部、    ３３：履歴一覧生成部、    ３５：制御部、    ３７：資料画像生成部、    ３９：レイアウト再現部、    ４１：ドロアー管理部、    ４３：キーワード抽出部、    ４５：推移情報生成部
５１：ワークエリア、    ５２：資料画像、    ５３：引出しエリア、    ５４：ドロアー、    ５５：ホームメニュー、    ５６：「閉じる」ボタン
【図１】
2018073096.tif 000003
【図２】
2018073096.tif 000004
【図３】
2018073096.tif 000005
【図４】
2018073096.tif 000006
【図５】
2018073096.tif 000007
【図６】
2018073096.tif 000008
【図７】
2018073096.tif 000009
【図８】
2018073096.tif 000010
【図９】
2018073096.tif 000011
【図１０】
2018073096.tif 000012
【図１１】
2018073096.tif 000013